【事件の表示】
　平成　７年特許願第２４６８９３号「写真感光材料処理装置」拒絶査定に対する審判事件［平成　９年　３月１１日出願公開、特開平　９−　６８７８６］について、次のとおり審決する。
【結　論】
　本件審判の請求は、成り立たない。
【理　由】
１．手続の経緯・本願発明
　本願は、平成７年８月３１日の出願であって、本願の請求項１及び２に係る発明は、平成１４年４月８日付、平成１５年６月１３日付手続補正書により補正された明細書及び図面の記載からみて、その特許請求の範囲の請求項１及び２に記載された事項により特定されるとおりのものであり、請求項１に係る発明は次のとおりのものである。
「【請求項１】
　裏面にコレクションバリューを印字した写真感光材料を搬送・現像処理する写真感光材料処理装置において、
　現像処理槽の底部で処理液中で写真感光材料のコレクションバリュー印字部に当接するターンローラーが、通常径部とコレクションバリュー印字部に当接する通常径部より小径部とが５〜４５度の角度をなす環状円錐面からなる連絡部を備えたことを特徴とする写真感光材料処理装置。」
　
２．引用刊行物
　当審が平成１５年４月１０日付拒絶理由に引用した刊行物１〔実願昭６２−５４１６０号（実開昭６３−１６０５５３号）のマイクロフィルム〕には、次の事項が記載されている。
「焼付画像間にカットマーク用貫通孔を形成した連続感光材料を挾持ローラ対で処理槽内へ挾持搬送する写真現像装置であって、前記挾持ローラ対の少なくとも一方は前記貫通孔対応部が小径とされたことを特徴とする写真現像装置。」（第１頁第５〜９行）
　
「〔産業上の利用分野〕
　本考案は印画紙、ネガフィルム等の連続感光材料を挾持ローラ対で挾持し処理液が充填された処理槽内へ通過させて現像処理する写真現像装置に関する。
〔従来の技術〕
・・・焼付後の感光材料には焼付画像間にカットマークとしての貫通孔が形成され、これによって焼付画像毎に確実に切断されるようになっている。
　しかしながら、この感光材料は貫通孔が形成された後に各処理槽へ搬送されさらに複数対のローラによる挾持力を繰返して受けながら現像液等に浸るため、これらの処理液が貫通孔の内周切断面から感光材料の内部へ浸入し感光材料を膨潤させることがある。・・・
〔考案が解決しようとする問題点〕
　本考案は上記事実を考慮し、焼付画像間にカットマークとしての貫通孔が形成された連続感光材料をローラ対で挾持搬送する際に、現像処理液が貫通孔から浸潤することによる連続感光材料の損傷を低減することができる写真現像装置を得ることが目的である。」（第１頁第１１行〜第３頁第４行）
　
「現像部１４では現像槽３０、漂白定着槽３２及び水洗安定槽３４が設けられ、それぞれ処理液が充填された処理浴となっており露光後の印画紙１８を現像処理するようになっている。このため各処理槽には処理液の循環、かく拌手段（図示省略）が設けられている。」（第４頁第２０行〜第５頁第５行）
　
「各処理槽には現像ラック４０が収容されており、送り込まれる印画紙１８を巻掛けて案内し処理液内を通過させるようになっている。
　第２図に示される如くこの現像ラック４０は一対のラック側板４２、４４が複数本の支軸４６で固着されて互いに平行に配置されている。ラック側板４２、４４の下端部付近には巻掛けローラ４８が軸支されており、印画紙１８を各処理槽の下端部付近で巻掛けて折り返すようになっている。
　またラック側板４２、ラック側板４４には搬送用ローラ５０が搬送用ローラ５２と共に複数対軸支されており、印画紙１８を案内するようになっている。」（第５頁第９行〜第６頁第１行）
　
「搬送用ローラ５０の長手方向一端部近傍には、ゆるやかに傾斜するように小径とされた小径部５４が形成されている。この小径部５４は、搬送用ローラ５０と搬送用ローラ５２とによって挾持される印画紙１８の貫通孔２６と対応した位置に形成されており、この小径部５４に対応する印画紙１８（すなわち貫通孔２６穿設部分）には搬送用ローラ５０と搬送用ローラ５２とによる挾持力が作用しないようになっている。
　従って、印画紙１８は全体としては搬送用ローラ５０と搬送用ローラ５２とによって挾持力を受け確実に搬送されるようになっているが、貫通孔２６穿設部分のみは搬送用ローラ５０と搬送用ローラ５２とによる挾持力を繰返し受けることがないようになっている。」（第６頁第７行〜第７頁第１行）
　
「光学手段２０によって画像が焼付けられた印画紙１８はその下面が乳剤面とされて現像部１４へと送られる。この場合印画紙１８は巻掛けローラ５６に巻掛けられた後搬送用ローラ５０及び搬送用ローラ５２間で挾持されて案内搬送される。印画紙１８の乳剤面には搬送用ローラ５２が対応しており全面に渡って均一に接触している。一方印画紙１８の裏面には搬送用ローラ５０が対応しており、焼付画像間に穿設された貫通孔２６には搬送用ローラ５０の小径部５４が対応して現像条件が同一になっている。このため印画紙１８は全体として搬送用ローラ５０と搬送用ローラ５２とによる挾持力が作用し確実に挾持されるが、貫通孔２６穿設部分のみは搬送用ローラ５０と搬送用ローラ５２とによる挾持力が作用しない。したがって印画紙１８は現像部１４の各処理槽をこの搬送用ローラ５０と搬送用ローラ５２とによって挾持されながら通過する際に、貫通孔２６穿設部分のみは挾持力を繰返し受けることなく処理液に浸るため、貫通孔２６の内周壁から処理液が浸潤し印画紙１８が損傷することが低減される。
　なお本実施例では、搬送用ローラ５０を印画紙１８の乳剤面の裏面側に対応させて配置する構成としたが、これに限らず印画紙１８の乳剤面に対応する側に配置する構成としてもよい。また搬送用ローラ５０と搬送用ローラ５２とのいずれにも小径部５４を形成する構成としてもよい。これらの場合であっても、小径部５４はなだらかに傾斜するように小径とされているため乳剤面に線状の引掛傷が付くことはない。」（第７頁第１１行〜第８頁第２０行）
　
　前記記載事項と図面の記載からみて、刊行物１には「印画紙、ネガフィルム等の連続感光材料を搬送・現像処理する写真現像装置において、
　現像部の各処理槽の処理液中で印画紙、ネガフィルム等の連続感光材料に当接するローラが、通常径部と通常径部より小径部と連絡部を備えたことを特徴とする写真現像装置。」及び、印画紙の貫通孔に当接するローラが、通常径部と貫通孔に当接する通常径部より小径部を有する点、現像部の各処理槽内の搬送用ローラに小径部を設けた点、ローラの通常径部と小径部との連絡部が、ゆるやかに傾斜する面、あるいは、なだらかに傾斜する面である点、が記載されている。
　
　同刊行物２〔実願平５−８３８０号（実開平６−６０８５３号）のＣＤ−ＲＯＭ（マイクロフィルムは誤記）〕には、次の事項が記載されている。
「感光材料の焼付現像機を構成する並列状に設置された各現像処理槽毎に、焼付け処理された感光材料は浸漬され、処理槽上方部より引き出され、次位の処理槽に順次移行する。
　この移行の過程にて、感光材料面に付着した処理液は、隣接する処理槽の上方部に多連に亘って配されたスクイズローラー部の一対のローラー間に感光材料が順次供給され、スクイズローラーによるスクイズ作業により次第に取り除かれ、前工程の処理液の次位工程における処理液の混入を未然に防止している。
　【０００３】
　感光材料の焼付現像処理に必須の部材たるこのスクイズローラーの存在、即ちスクイズローラーによるスクイズ操作は、感光材料のベース面に印字され、プリント仕上げ、あるいは再プリントなどの折の重要な処理データとなるコレクションバリュー（裏印字）を転写せしめる危惧がある。
　このため従来より、多連に亘るスクイズローラー毎に、特に感光材料のベース面に印字されたコレクションバリューとスクイズローラーとの接触を回避するために逃し用環状溝が設けられている。
　【０００４】
　　【考案が解決しようとする課題】
　この感光材料のベース面に印字されたコレクションバリュー逃し用環状溝を設けた感光材料のベース面側に接触するローラーとこの環状溝を欠く感光材料の乳剤面側に接触するローラーとの一対のローラーをもって構成されるスクイズローラー」（第４頁第９〜２９行）　
　
「隣接する処理槽間にあって、送り込みを兼ねて多連に亘って設置されたスクイズローラー（１１）（１２）（１３）はそれぞれ、一対のローラー、即ち感光材料（２０）のベース面（２２）側に接するローラー（１１ａ）（１２ａ）（１３ａ）群とこれに対応して乳剤面（２１）側に接するローラー（１１ｂ）（１２ｂ）（１３ｂ）群の一組をもって構成され、特に、ベース面側のローラー（１１ａ）（１２ａ）（１３ａ）の各ローラーの周面の同一位置には、前記感光材料（２０）のベース面（２２）に印字されたコレクションバリュー（裏印字）の転写防止のための、深さ約１．５ｍｍ程度の逃し溝、即ち環状溝（１４）（１５）（１６）が刻設されており、これら各環状溝（１４）（１５）（１６）の溝幅は僅かづつ変化し、例えば、より具体的に感光材料（２０）の進行方向の最後尾側より各ローラーの環状溝（１４）（１５）（１６）の溝幅は１２ｍｍ，１０ｍｍ，８ｍｍと変化し、このうちの最小溝（１６）の溝幅は前記コレクションバリューの印字幅に略一致している。」（第７頁第１７〜２９行）
　
　前記記載事項と図面の記載からみて、刊行物２には、感光材料のベース面にコレクションバリューを印字する点、感光材料のコレクションバリュー印字部に当接するローラーが、通常径部とベース面に印字されたコレクションバリュー逃し用環状溝を有する点、が記載されている。
　
３．対比
　刊行物１記載の発明における『「印画紙、ネガフィルム等の連続感光材料」または「印画紙」』、「写真現像装置」、「現像部の各処理槽」、及び「ローラ」は、本願特許請求の範囲の請求項１に係る発明（以下、「本願発明」という。）における「写真感光材料」、「写真感光材料処理装置」、「現像処理槽」、及び「ローラー」に、それぞれ相当するものであるので、本願発明と刊行物１記載の発明とを対比すると、本願発明と刊行物１記載の発明は「写真感光材料を搬送・現像処理する写真感光材料処理装置において、
　現像処理槽の処理液中で写真感光材料に当接するローラーが、通常径部と通常径部より小径部と連絡部を備えたことを特徴とする写真感光材料処理装置。」で両者の構成は一致し、次の点で両者の構成は相違する。
　
相違点（Ａ）：
　本願発明は、写真感光材料の裏面にコレクションバリューを印字するのに対して、刊行物１記載の発明は、そのことについての記載が無い点。
　
相違点（Ｂ）：
　本願発明は、写真感光材料のコレクションバリュー印字部に当接するローラーが、通常径部とコレクションバリュー印字部に当接する通常径部より小径部を有するのに対して、刊行物１記載の発明は、写真感光材料の貫通孔に当接するローラーが、通常径部と貫通孔に当接する通常径部より小径部を有するが、コレクションバリュー印字部についての記載は無い点。
　
相違点（Ｃ）：
　小径部を設けたローラーが、本願発明は、現像処理槽の底部のターンローラーであるのに対して、刊行物１記載の発明は、現像処理槽内の搬送用ローラーである点。
　
相違点（Ｄ）
　ローラーの通常径部と小径部との連絡部が、本願発明は、５〜４５度の角度をなす環状円錐面であるのに対して、刊行物１記載の発明は、ゆるやかに傾斜する面、あるいは、なだらかに傾斜する面である点。
　
４．判断
相違点（Ａ）について
　刊行物２記載の発明の「感光材料」、及び「ベース面」は、本願発明の「写真感光材料」、及び「裏面」にそれぞれ相当するものであるので、刊行物２には、写真感光材料の裏面にコレクションバリューを印字する点が記載されており、この点を、刊行物１記載の写真感光材料に採用して、相違点（Ａ）における本願発明のような構成にしたことは、格別なものとは認められない。
　
相違点（Ｂ）について
　刊行物２記載の発明の「感光材料」、及び「ベース面に印字されたコレクションバリュー逃し用環状溝」は、本願発明の「写真感光材料」、及び「コレクションバリュー印字部に当接する通常径部より小径部」にそれぞれ相当するものであるので、刊行物２には、写真感光材料のコレクションバリュー印字部に当接するローラーが、通常径部とコレクションバリュー印字部に当接する通常径部より小径部を有する点が記載されている。
　写真感光材料に当接するローラーにおいて、ローラーの当接を避ける部分を小径部とする点では、本願発明も刊行物１記載の発明も同じであり、刊行物１記載の写真感光材料の貫通孔に当接するローラーにおいて、貫通孔に当接する通常径部より小径部を有するローラーに換えて、刊行物２記載のコレクションバリュー印字部に当接する通常径部より小径部を有するローラーを採用して、相違点（Ｂ）における本願発明のような構成にしたことに、格別の困難性は認められない。
　
相違点（Ｃ）について
　現像処理槽の底部のターンローラーは、例を挙げるまでもなく周知技術である。
　刊行物１記載の現像処理槽内の搬送ローラーに設けた小径部を、前記周知の現像処理槽の底部のターンローラーに採用することに、阻害要件はないので、相違点（Ｃ）における本願発明のような構成にしたことは、格別なものとは認められない。
　
相違点（Ｄ）について
　刊行物１記載の発明の連絡部のゆるやかに傾斜する面、あるいは、なだらかに傾斜する面は、本願発明の連絡部の５〜４５度の角度をなす環状円錐面に略相当するものであり、５〜４５度に限定した点に臨界的意義は認められず、相違点（Ｄ）における本願発明のような構成にしたことに、格別の困難性は認められない。
　
　そして、前記相違点（Ａ）〜（Ｄ）における本願発明の構成による効果は、刊行物１及び２の記載および周知技術から予測される範囲のものである。
　
５．むすび
　したがって、本願特許請求の範囲の請求項１に係る発明は、本願出願前に国内で頒布された刊行物１及び２記載の発明および周知技術に基づいて、当業者が容易に発明をすることができたものであり、特許法第２９条第２項の規定により特許を受けることができない。
　よって、本願特許請求の範囲の請求項２に係る発明の審理をするまでもなく、本願は拒絶すべきものである。
　よって、結論のとおり審決する。